(57)【特許請求の範囲】
【請求項１】
画像を表示するための複数の画素が配されている液晶パネルと、当該液晶パネルに画像信号を出力することで、上記液晶パネルに画像を表示させる駆動回路とを備えている液晶表示装置であって、
上記複数の画素のそれぞれには、
上記駆動回路から出力された画像信号に応じた電位を保持する記憶素子と、
上記記憶素子が保持する電位が供給されることで、上記画像を表示するための電圧が印加される表示素子と、が配されており、
上記駆動回路は、
上記表示素子に印加する交流電圧の極性を反転させる基準時間を一定の周期で表す基準信号を生成し、上記表示素子に印加した交流電圧の極性が反転している期間である極性反転期間を上記生成した基準信号の基準時間から一定の時間ずらした一定の周期で表す極性反転信号を生成する極性反転指示手段と、
上記極性反転信号が表す周期で交流電圧の極性を反転して、当該交流電圧を上記表示素子に出力する交流電圧出力手段と、
上記画像信号を上記液晶パネルへ出力することを要求する信号である画像出力要求信号を取得すると、上記液晶パネルへの上記画像信号の出力を指示する画像信号出力指示手段と、
上記液晶パネルに出力するための上記画像信号を格納し、上記画像信号出力指示手段からの上記画像信号の出力の指示を取得すると、自身に格納している画像信号を、上記液晶パネルに出力する格納手段とを有し、
上記画像信号出力指示手段は、
上記画像信号を上記液晶パネルへ出力し終わるまでの期間である画像データの転送期間が、上記基準時間から、上記極性反転期間と、上記記憶素子から上記表示素子へと供給される電圧の変化が完了するまでの期間である極性変化期間と、からなる転送待機期間に含まれているかを、上記画像出力要求信号を取得した時間から判定し、
上記画像データの転送期間が、上記転送待機期間に含まれていると判定すると、上記転送待機期間が経過した後に、上記液晶パネルへの画像信号の出力の指示を上記格納手段に対し行うことを特徴とする液晶表示装置。
【請求項２】
上記極性反転期間は、上記画像データの転送期間以上であることを特徴とする請求項１に記載の液晶表示装置。
【請求項３】
上記基準信号または上記極性反転信号に基づいた第１クロック信号を生成し、上記第１クロック信号を上記交流電圧出力手段へ出力する第１発振手段と、
上記第１クロック信号の周波数よりも高い周波数の第２クロック信号を生成する第２発振手段と、を備えることを特徴とする請求項１または２に記載の液晶表示装置。
【請求項４】
上記第２発振手段は、上記画像信号出力指示手段からの上記画像信号の出力の指示を取得した際、上記第２クロック信号を生成することを特徴とする請求項３に記載の液晶表示装置。
【請求項５】
上記画像データの転送期間を示す情報と、上記極性反転期間を示す情報と、上記極性変化期間を示す情報と、を格納する期間格納手段を備えていることを特徴とする請求項１〜４の何れか１項に記載の液晶表示装置。
【発明の詳細な説明】
【技術分野】
【０００１】
本発明は、データの再書み込みを行わずに表示する画像を切り替える液晶表示装置等に関する。
【背景技術】
【０００２】
従来から、液晶表示装置を低消費電力で駆動させるために、一時的に表示が不要なときには表示を消すことでスタンバイ状態にしておき、表示が必要になったときにスタンバイ状態を解除して元の通常表示に戻すスタンバイモードを有する液晶表示装置が開発されている。【０００３】
このようなスタンバイモードは、表示が不要な場合には、例えば、データジェネレータ、タイミング発生回路、制御信号発生回路などのドライバ内の回路を静止状態にする。これにより、ドライバで消費される電力を無くすことができる。【０００４】
しかし、液晶駆動電圧が印加されているときに、交流化信号まで止めてしまうと、液晶が直流駆動され、液晶の信頼性を著しく低下させることになる。【０００５】
そこで、特許文献１には、スタンバイモードでも、液晶を交流駆動させる回路が開示されている。【０００６】
図９は、特許文献１の液晶表示制御回路の構成を表す図である。【０００７】
タイミング発生回路１０２は、基本クロック入力であるＣＫを基に、基本タイミングを発生する。制御信号発生回路１０３は、ＹＤ（Ｙドライバのスキャニングスタートパルス）、ＷＦ（交流化信号）、ＬＰ（Ｘドライバのラッチパルス兼Ｙドライバのシフトクロック）、ＸＳＣＬ（Ｘドライバのシフトクロック）等のＬＣＤの制御に必要な信号を発生する。セレクタ１０５は、セレクト入力Ｓが”Ｈ”レベルのときはＡ入力をＹに出力し、”Ｌ”レベルのときはＢ入力をＹに出力する。【０００８】
また、発振回路１０７は、低周周波数のクロックを発振するものである。分周回路１０４は、発振回路１０７で発生したクロックをさらに分周するものである。【０００９】
スタンバイモードに入るときは、ＳＴＮＢＹ＝”Ｌ”レベルとなり、ＡＮＤゲート１０６の出力が”Ｌ”レベルで固定され、タイミング発生回路１０２、制御信号発生回路１０３、データジェネレータ１０１は静止状態となる。【００１０】
一方、セレクタ１０５では、入力が”Ｌ”の場合は、Ｂ入力がセレクトされ、ＷＦ、ＬＰへは信号１１３が出力される。すなわち、スタンバイモードでは、発振回路１０７で発生した低周波のクロックは、分周回路１０４を介して、信号１１３として、セレクタ１０５に入力される。この入力により、セレクタ１０５は、Ｙドライバを全て非選択にするためのＬＰと、液晶の交流化に必要なＷＦを出力する。【００１１】
このように、スタンバイモードでは、タイミング発生回路１０２、制御信号発生回路１０３を静止状態とし、低周波のクロックで、ＷＦ、ＬＰをＬＣＤに供給することができるので、低消費電力の削減と、ＬＣＤが直流駆動することを防止することができる。【００１２】
さらに、近年では、各画素にメモリ回路（以下、画素メモリと称する）を備え、当該画素メモリに画像データを記憶させることによって、外部から画像データを供給し続けることなく静止画像を低消費電力で表示することができる表示装置が知られている。【００１３】
例えば、特許文献２には、このような画素メモリを備えた表示装置が開示されている。【００１４】
図１０に、特許文献２に記載された画素メモリを備える表示装置の構成を示す。【００１５】
この表示装置は、Ｘアドレス走査線ドライバ２１８、デジタルデータドライバ２１９、およびアナログデータドライバ２２０を備えており、デジタルデータ画像表示モードとアナログデータ画像表示モードとを使い分けることができる。【００１６】
デジタルデータ画像表示モードについて説明すると、画像データを書き込む画素が接続されているＸアドレス信号線２０４−ｎ（ｎは自然数）を選択し、対応する第１表示制御線１−ｎからデジタルデータ信号を、当該画素の第１スイッチ素子２０８を通して、ＮＡＮＤ回路２５１およびクロックトインバータ素子２５３によって構成されたデジタルメモリ素子２５０に書き込む。このとき、表示モード制御線２１５を通してデジタルメモリ素子２５０をアクティブにしておく。【００１７】
デジタルメモリ素子２５０の入力は第２スイッチ素子２０９に接続されているとともに出力は第３スイッチ素子２１０に接続されている。従って、デジタルデータ信号のＨｉｇｈ／Ｌｏｗに応じて第２スイッチ素子２０９または第３スイッチ素子２１０のいずれか一方が導通する。第２表示制御線２０２−ｎおよび第３表示制御線２０３の一方には白表示基準電圧、他方には黒基準電圧が供給され、第２スイッチ素子２０９または第３スイッチ素子２１０のうちの導通したほうのスイッチ素子によって決まる白電圧または黒電圧が、液晶セル２０６に印加される。【００１８】
再び第１スイッチ素子２０８が導通して新たなデジタルデータ信号が書き込まれるまで、液晶セル２０６は、デジタルメモリ素子２５０が記憶したデジタルデータ信号による表示状態を保持する。【００１９】
さらに、黒表示基準電圧と、白表示基準電圧とのうち、少なくとも何れか一方を、所定期間ごとに極性が反転する交流電圧とすることで、液晶セル２０６の信頼性が低下することを防止している。
【先行技術文献】
【特許文献】
【００２０】
【特許文献１】日本国公開特許公報「特開平４−５０９９７号公報（１９９２年２月１９日公開）」
【特許文献２】日本国公開特許公報「特開２００３−１７７７１７号公報（２００３年６月２７日公開）」
【特許文献３】日本国公開特許公報「特開２００９−２２９８５０号公報（２００９年１０月８日公開）」
【特許文献４】日本国公開特許公報「特開２００９−６３６４４号公報（２００９年３月２６日公開）」
【発明の概要】
【発明が解決しようとする課題】
【００２１】
上述のような各画素に画素メモリを備えた液晶表示装置の場合、画素メモリを備えていない液晶表示装置とは異なり、静止画を表示する際には、画像を各画素に送り続ける（スキャンし続ける）必要がない。すなわち、各画素に画素メモリを備えた液晶表示装置の場合、同じ画像を表示する場合は、画像の書き込みが必要ではなく、異なる画像を表示する場合に、画像の書き込みを行う。【００２２】
しかし、このような、画素メモリを備えている液晶表示装置でも、液晶の信頼性を保つために、各画素の液晶に、正負の電圧（以下、ＣＯＭ信号と称する場合がある）を交互に印加するＣＯＭ反転動作は必要である。【００２３】
通常、画素メモリを備えていない液晶表示装置では、画像を液晶表示パネルに転送するタイミングと、ＣＯＭ反転動作のタイミングとは同期している。このため、画素メモリを備えていない液晶表示装置では、通常、画像を書き込んでいる期間に、ＣＯＭ反転動作が行なわれることは無い。【００２４】
一方、画素メモリを備えている液晶表示装置は、表示する画像を変更する際に、画像データの転送が行なわれるので、画像を転送するタイミングと、ＣＯＭ反転動作のタイミングとは非同期である。【００２５】
このため、図１１に示すように、画素メモリを備えている液晶表示装置では、ＣＯＭ反転動作を一定の周期で行っていると、画像の書き込みを行っている期間に、ＣＯＭ反転動作が行なわれる場合がある。【００２６】
図１１は、画像の書き込み期間のタイミングと、ＣＯＭ反転動作のタイミングとを説明する図である。【００２７】
このように、画像の書き込み期間に、ＣＯＭ信号の反転が行なわれると、ＣＯＭ信号が反転する際に、回路に流れる大きな電流により生じる電圧ドロップ等の影響により、画像の書き込みが正常に行なわれない場合がある。【００２８】
本発明は、上記の課題を解決するためになされたものであり、その目的は、液晶の信頼性の低下を防止し、データの再書み込みを行わずに表示する画像を切り替えることができ、表示する画像の品位が劣化することを防止することができる液晶表示装置を提供することにある。
【課題を解決するための手段】
【００２９】
上記の課題を解決するために、本発明の液晶表示装置は、画像を表示するための複数の画素が配されている液晶パネルと、当該液晶パネルに画像信号を出力することで、上記液晶パネルに画像を表示させる駆動回路とを備えている液晶表示装置であって、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されており、上記駆動回路には、上記表示素子に印加する交流電圧の極性を反転させるための極性反転指示手段と、上記液晶パネルへの画像信号の出力を指示する画像信号出力指示手段とが配されており、上記画像信号出力指示手段は、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性の変化が完了するまでの期間が含まれていると判定すると、上記表示素子に印加される交流電圧の極性の変化による当該表示素子の電圧の極性の変化が完了してから、上記液晶パネルへの画像信号の出力を指示することを特徴としている。【００３０】
上記の課題を解決するために、本発明の表示方法は、画像を表示するための複数の画素が配されている液晶パネルに画像信号を出力することで、上記液晶パネルに画像を表示させる駆動方法を含む表示方法であって、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されており、上記表示素子に印加する交流電圧の極性を反転させるための極性反転指示ステップと、上記液晶パネルへの画像信号の出力を指示する画像信号出力指示ステップとを含み、上記画像信号出力指示ステップで、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性の変化が完了するまでの期間に含まれていると判定されると、上記表示素子に印加される交流電圧の極性の変化による当該表示素子の電圧の極性の変化が完了してから、上記液晶パネルへの画像信号の出力をすることを特徴としている。【００３１】
上記構成によると、上記複数の画素のそれぞれには、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されているので、表示する画像が同じである場合、記憶素子が保持する電位を変更する必要がない。このため、液晶パネルは、同じ画像を継続して表示する場合、画像信号を読み込む必要が無いので、低消費電力化を行うことができる。【００３２】
また、上記構成によると、極性反転指示手段により、上記表示素子に印加する交流電圧の極性を一定の周期で変化させることができるので、表示素子に、直流電圧が印加されることを防止することができ、表示素子の信頼性の低下を防止することができる。【００３３】
また、上記構成によると、上記画像信号出力指示手段は、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性が変化している期間が含まれていると判定すると、上記表示素子に印加される交流電圧の極性の変化による当該表示素子の電圧の極性の変化が完了してから、上記液晶パネルへの画像信号の出力を指示する。【００３４】
これにより、画像転送期間に、上記表示素子に印加される交流電圧の極性が変化することを防止することができる。このため、各画素の記憶素子が保持する電位の変化が、正常に行なわれなくなることを防止することができるので、表示する画像の品位が劣化することを防止することができる。
【発明の効果】
【００３５】
本発明の液晶表示装置は、画像を表示するための複数の画素が配されている液晶パネルと、当該液晶パネルに画像信号を出力することで、上記液晶パネルに画像を表示させる駆動回路とを備えており、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されており、上記駆動回路には、上記表示素子に印加する交流電圧の極性を反転させるための極性反転指示手段と、上記液晶パネルへの画像信号の出力を指示する画像信号出力指示手段とが配されており、上記画像信号出力指示手段は、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性が変化している期間が含まれていると判定すると、上記表示素子に印加される交流電圧の極性の変化による当該表示素子の電圧の極性の変化が完了してから、上記液晶パネルへの画像信号の出力を指示する。【００３６】
本発明の表示方法は、画像を表示するための複数の画素が配されている液晶パネルに画像信号を出力することで、上記液晶パネルに画像を表示させる表示方法であって、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されており、上記表示素子に印加する交流電圧の極性を反転させるための極性反転指示ステップと、上記液晶パネルへの画像信号の出力を指示する画像信号出力指示ステップとを含み、上記画像信号出力指示ステップで、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性の変化が完了するまでの期間に含まれていると判定されると、上記表示素子に印加される交流電圧の極性の変化による当該表示素子の電圧の極性の変化が完了してから、上記液晶パネルへの画像信号の出力をする。【００３７】
これにより、液晶の信頼性の低下を防止し、データの再書み込みを行わずに表示する画像を切り替えることができ、表示する画像の品位が劣化することを防止することができるという効果を奏する。
【図面の簡単な説明】
【００３８】
【図１】本発明の液晶表示装置の構成を表すブロック図である。
【図２】本発明の液晶表示装置の液晶パネルの構成例を示す回路図である。
【図３】本発明の液晶表示装置の構成を表す回路図である。
【図４】走査信号線に走査信号が入力されることによって、データ信号線に入力されたデータ信号がデジタルメモリ素子にラッチされたときの、走査信号と、デジタルメモリ素子の出力電圧との関係を示す図である。
【図５】（ａ）および（ｂ）は、デジタルメモリ素子の出力電圧と、液晶セルに印加される電圧との関係の一例を示す図である。
【図６】画像データの転送期間の様子を表す図である。
【図７】交流電圧である出力電圧Ｖｃｏｍと、画像データの転送期間との関係を表す図である。
【図８】本発明の液晶表示装置の処理の流れを表す図である。
【図９】従来の液晶表示制御回路の構成を表す図である。
【図１０】従来の画素メモリを備える表示装置の構成を示す図である。
【図１１】従来の画素メモリを備える表示装置の画像の書き込み期間のタイミングと、ＣＯＭ反転動作のタイミングとを説明する図である。
【発明を実施するための形態】
【００３９】
（画素メモリ内蔵の液晶パネルの構成）
まず、図２、図３を用い、画素メモリ内蔵の液晶パネル、及びそれを備えた液晶表示装置の構成について説明する。
【００４０】
画素メモリ内蔵の液晶パネルは、画素毎に設けられたデジタルメモリ素子の出力電圧を保持することによって、データ信号線および走査信号線への信号を停止しても、画像を表示し続けることができる液晶パネルである。なお、以下では、ノーマリーホワイトの場合について説明するが、ノーマリーブラックの場合は、各出力電圧のＨｉｇｈレベルと、Ｌｏｗレベルとが逆になる。
【００４１】
図２は、画素メモリ内蔵の液晶パネル６９の構成例を示す回路図である。
【００４２】
画素メモリ内蔵の液晶パネル６９は、図２に示すように、画像を表示するための複数の画素がマトリクス状に配されている。画素６０毎に、ＭＯＳ  ＦＥＴ等からなる画素部スイッチ素子６１と、インバータ回路等からなるデジタルメモリ素子６２および６３と、液晶容量である液晶セル（表示素子）６４と、端子６５ａ・６５ｂを備えたスイッチ６５とを備えている。なお、デジタルメモリ素子６２および６３を総称して、デジタルメモリ素子（記憶素子）６８と称する。
【００４３】
デジタルメモリ素子６８は、液晶ドライバ回路３（後述する）から出力された画像データ（画像信号）に応じた電位を保持するものである。また、液晶セル６４は、液晶６４ａと、液晶６４ａを介して対向配置された画素電極５７と、共通電極６７とを備えている。液晶セル６４の画素電極５７側は、スイッチ６５を介してデジタルメモリ素子６８と接続されている。また、液晶セル６４の共通電極６７（ＣＯＭ）側は、後述する交流信号出力部１４と接続されている。液晶セル６４は、デジタルメモリ素子６８が保持する電位が供給されることで、画像を表示するための電圧が印加される。これにより、画像を表示するものである。
【００４４】
また、液晶セル６４は、後述する交流信号出力部１４から交流電圧（出力電圧Ｖｃｏｍ・ＶＡ・ＶＢ）が供給されることで、交流駆動を行う。共通電極６７には、交流信号出力部１４から出力され、周期的に極性（ＨｉｇｈレベルまたはＬｏｗレベル）が変化する出力電圧Ｖｃｏｍ（ＣＯＭ信号）が供給される。また、画素電極５７には、スイッチ６５の切り替えによって、交流信号出力部１４から出力される出力電圧ＶＡまたは出力電圧ＶＢが供給される。出力電圧ＶＡは、スイッチ６５の端子６５ａに供給され、出力電圧Ｖｃｏｍと同極性の電圧である。また、出力電圧ＶＢは、スイッチ６５の端子６５ｂに供給され、出力電圧Ｖｃｏｍと逆極性の電圧である。なお、出力電圧Ｖｃｏｍ・ＶＡ・ＶＢは何れも周期は同じである。
【００４５】
そして、画素部スイッチ素子６１のゲート端子は、走査信号線ｘｉ（ｉ＝１、２、…、ｎ；ｎは正の整数を示す）に接続されており、また、画素部スイッチ素子６１のソース端子は、データ信号線ｙｉ（ｉ＝１、２、…、ｍ；ｍは正の整数を示す）に接続されている。
【００４６】
上記構成により、走査信号線ｘｉに走査信号が入力されることによって、データ信号線ｙｉに入力されるデータ信号が、デジタルメモリ素子６８にラッチされるとともに、該ラッチされたデータ信号（画素値、電圧）が、スイッチ６５を介して、液晶セル６４に書き込まれる。
【００４７】
すなわち、デジタルメモリ素子６８から出力されたデータ信号がＨｉｇｈレベルの場合は、スイッチ６５は、端子６５ａと画素電極５７とが導通するように切り換える。これにより、スイッチ６５を介して、デジタルメモリ素子６８から出力されたデータ信号が書き込まれる。さらに、端子６５ａを介して、出力電圧ＶＡが液晶セル６４に供給される。
【００４８】
一方、デジタルメモリ素子６８から出力されたデータ信号がＬｏｗレベルの場合は、スイッチ６５は、端子６５ｂと画素電極５７とが導通するように切り換える。これにより、スイッチ６５を介して、デジタルメモリ素子６８から出力されたデータ信号が書き込まれる。さらに、端子６５ｂを介して、出力電圧ＶＢが液晶セル６４に供給される。
【００４９】
そして、デジタルメモリ素子６８へ入力される信号が変化しない間は、デジタルメモリ素子６８の出力電圧は、前の状態を保持するようになっている。したがって、データ信号線ｙｉおよび走査信号線ｘｉへの信号の入力を停止しても、デジタルメモリ素子６８の出力電圧は保持されるので、画素メモリ内蔵の液晶パネル６９は、画像を表示し続けることができる。
【００５０】
なお、画素メモリ内蔵の液晶パネル６９は、走査信号を入力する走査信号線を指定することによって、該指定した走査信号線が接続している画素群にのみ、画像を表示させることも可能であるし、また、データ信号を入力するデータ信号線を指定することによって、該指定したデータ信号線が接続している画素群にのみ、画像を表示させることも可能である。
【００５１】
図３は、画素メモリ内蔵の液晶パネル６９を備えた液晶表示装置１の構成を表す回路図である。
【００５２】
なお、図３に示す番号は、図２と番号が同じであれば番号に付された「ｉ」に入力される整数にかかわらず、同様の構成であるものとする。例えば、画素６０、画素６０ｉ（ｉ＋１）〜６０（ｉ＋ｎ）（ｉ＋ｍ）は、何れも同様の構成である。
【００５３】
液晶パネル６９には、水平方向にｍ個、垂直方向にｎ個の画素６０（画素６０ｉ（ｉ＋１）〜６０（ｉ＋ｎ）（ｉ＋ｍ））が配されている。
【００５４】
図示のように、液晶表示装置１は、図２に示した画素メモリ内蔵の液晶パネル６９の構成に加えて、液晶ドライバ回路３と、ＭＰＵ（MicroProcessing Unit）５とを備えている。
【００５５】
ホストコンピュータであるＭＰＵ（画像出力要求手段）５は、液晶表示装置１の全体を制御するものである。液晶ドライバ回路３は液晶パネル６９のコントローラとなるＬＳＩである。ＭＰＵ５は、画像格納部１２に格納されている画像データを液晶パネル６９へ出力することを要求するコマンド（以下、画像転送信号（画像出力要求信号）と称する）を生成する。そして、ＭＰＵ５は、生成した画像出力要求信号を、入力部１１を介して、制御部２０に出力する。
【００５６】
液晶ドライバ回路３は、水平走査線ドライバ７０、データ線ドライバ（画像出力手段）７１、及び液晶パネル駆動回路（駆動回路）１０を備えている。また、液晶パネル駆動回路１０は、交流信号出力部（交流電圧出力手段）１４を備えている。なお、液晶パネル駆動回路１０の詳細な説明は後述する。
【００５７】
液晶ドライバ回路３は、液晶パネル６９に画像を表示させるための液晶パネル６９の駆動制御用の回路である。水平走査線ドライバ７０、データ線ドライバ７１、及び交流信号出力部１４は、それぞれ、液晶パネル６９の各画素６０と接続されている。
【００５８】
液晶ドライバ回路３から電源電圧を供給しながら、液晶ドライバ回路３は、走査信号を水平走査線ドライバ７０に出力させ、データ信号をデータ線ドライバ７１に出力させることにより、液晶パネル６９が表示するための画像の画像データを、画素６０のデジタルメモリ素子６８及び液晶セル６４に書き込みデータとして書き込むことができる。
【００５９】
水平走査線ドライバ７０は、書き込み対象となる走査信号線ｘｉを特定するものである。データ線ドライバ７１は、データ信号線ｙｉに書き込み対象となる書き込みデータを送るものである。すなわち、データ線ドライバ７１は、画像格納部１２に格納されている画像データを液晶パネル６９へ出力するものである。
【００６０】
このようにして、画素６０への画像のデータの書き込みは、水平走査線ドライバ７０に書き込み対象となるラインを特定する走査信号を与え、該ラインに書き込むデータをデータ線ドライバ７１に書き込むことの繰り返しによって行われる。
【００６１】
（デジタルメモリ素子の出力及び液晶セルへの入力について）
次に、図２〜図４を参照しながら、走査信号線ｘｉに走査信号が入力されることによって、データ信号線ｙｉに入力されたデータ信号がデジタルメモリ素子６８にラッチされたときの、走査信号とデジタルメモリ素子６８の出力電圧ＥＰ１との関係について説明する。
【００６２】
図４は、走査信号線ｘｉに走査信号が入力されることによって、データ信号線ｙｉに入力されたデータ信号がデジタルメモリ素子６８にラッチされたときの、走査信号と、デジタルメモリ素子６８の出力電圧ＥＰ１との関係を示す図である。
【００６３】
データ信号線ｙｉにＨｉｇｈレベル（Ｖ）のデータ信号が入力されている状態において、走査信号線ｘｉにＬｏｗレベル（０）の走査信号が入力されると、デジタルメモリ素子６８の出力電圧がＨｉｇｈレベルとなる。そして、走査信号がＨｉｇｈレベルに変化するタイミングで、デジタルメモリ素子６８の出力電圧はＨｉｇｈレベルに固定される。そして、次に走査信号がＬｏｗレベルになるまで、デジタルメモリ素子６８の出力電圧は保持される。
【００６４】
このように、デジタルメモリ素子６８は、走査信号線ｘｉの走査信号がＬｏｗレベルになるまで、前の出力電圧を保持する。
【００６５】
次に、図２、図３、図５の（ａ）および（ｂ）を参照しながら、デジタルメモリ素子６８の出力電圧と、液晶セル６４に印加される交流電圧との関係について説明する。図５の（ａ）および（ｂ）は、いずれも、デジタルメモリ素子６８の出力電圧と、液晶セル６４に印加される交流電圧との関係の一例を示す図である。
【００６６】
デジタルメモリ素子６８の出力電圧がＨｉｇｈレベルのとき，スイッチ６５は、端子６５ｂと画素電極５７との導通状態を保持する。そして、共通電極６７に供給される出力電圧Ｖｃｏｍに対して、反転した出力電圧ＶＢが、スイッチ６５の出力電圧として得られる。したがって、液晶セル６４には、出力電圧Ｖｃｏｍとスイッチ６５の出力電圧ＶＢとの差分である電圧ＥＰ２が印加される（図５の（ａ）参照）。電圧ＥＰ２は、常にＨｉｇｔレベルとなり、液晶セル６４には一定の電圧が加わる。これにより、液晶セル６４は、黒表示を行う。
【００６７】
一方、デジタルメモリ素子６８の出力がＬｏｗレベルのとき、スイッチ６５は、端子６５ａと画素電極５７との導通状態を保持する。そして、共通電極６７に供給される出力電圧Ｖｃｏｍに対して、同極性の出力電圧ＶＡが、スイッチ６５の出力電圧として得られる。したがって、液晶セル６４には、出力電圧Ｖｃｏｍとスイッチ６５の出力電圧ＶＡとの差分である電圧ＥＰ３が印加される（図５の（ｂ）参照）。電圧ＥＰ３は、常にＬｏｗレベルとなり、液晶セル６４には電圧が加わらない。これにより、液晶セル６４は、白表示を行う。
【００６８】
以上のように、画素メモリ内蔵の液晶パネル６９では、データを静止画像として継続して表示する場合、画素部スイッチ素子６１、並びに、デジタルメモリ素子６８をスイッチングさせる必要がない。そのため、画素メモリ内蔵の液晶パネル６９では、低消費電力化を実現することができる。
【００６９】
また、画素メモリ内蔵の液晶パネル６９では、データを静止画像として継続して表示する場合でも、交流信号出力部１４からの出力電圧Ｖｃｏｍにより、一定周期で、極性（出力電圧のＨｉｇｈレベルまたはＬｏｗレベル）が反転した交流電圧が、液晶セル６４に印加される。このため、液晶パネル６９では、例えば、液晶セル６４に直流電圧が印加され続ける場合のように、液晶セル６４の信頼性が低下することを防止することができる。
【００７０】
（液晶ドライバ回路）
次に、図１を用いて、液晶表示装置１の液晶パネル駆動回路１０の構成について、詳細に説明する。図１は、液晶表示装置１の構成を表すブロック図である。
【００７１】
液晶パネル駆動回路１０は、液晶パネル６９の各画素６０への画像データの書き込み指示や、電源の供給等を行うことにより、液晶パネル６９の制御を行うものである。
【００７２】
液晶パネル駆動回路１０は、入力部１１と、画像格納部（格納手段）１２と、制御部２０と、高速発振部（第２発振手段）１３と、交流信号出力部（交流電圧出力手段）１４と、電源回路（昇圧回路）１５と、低速発振部（第１発振手段）１９と、の各回路を備えている。
【００７３】
制御部２０は、画像転送制御部（画像信号出力指示手段）２１と、交流制御部（極性反転指示手段）２２と、電源制御部２３と、期間格納部２５と、を備えている。また、交流信号出力部１４は、ＣＯＭ信号出力部１６と、同極性信号出力部１７と、反転極性信号出力部１８とを備えている。
【００７４】
入力部１１は、ＭＰＵ５のインタフェースである。入力部１１は、ＭＰＵ５から画像データや、当該取得した画像データを画像格納部１２に出力する。入力部１１は、ＭＰＵ５から、画像データを液晶パネル６９へ転送するための画像データの転送期間（画像データの転送に要する期間）を取得すると、当該取得した画像データの転送期間を、期間格納部２５に出力する。
【００７５】
また、入力部１１は、ＭＰＵ５から画像データの転送を要求するコマンド（以下、画像転送信号と称する）を取得すると、当該取得した画像転送信号を制御部２０に出力する。
【００７６】
画像格納部１２は、ＲＡＭ等からなる画像格納用の一次記憶部である。
【００７７】
画像格納部１２に格納される画像データは、液晶パネル６９の各画素６０で静止画を表示するためのものである。画像格納部１２は、入力部１１から画像データを取得すると、当該取得した画像データを格納する。また、画像格納部１２は、画像転送制御部２１から、画像データの出力指示信号を取得すると、自身に格納している画像データを、データ線ドライバ７１に出力する。
【００７８】
制御部２０は、液晶ドライバ回路３の全体を制御するロジック（論理）回路である。制御部２０は、高速発振部１３及び低速発振部１９と接続されており、それぞれの動作を制御する。制御部２０は、高速発振部１３の動作と、低速発振部１９の動作とを連携させることで、液晶パネル６９への画像データの転送期間中に、液晶パネル６９に出力される交流電圧の極性が変化することを防止することができる。
【００７９】
期間格納部２５には、予め、ＭＰＵ５が算出した画像データの転送期間、極性変化待機期間、極性変化期間（交流電圧の極性が変化している時間）を格納しておく。期間格納部２５は、入力部１１から画像データの転送期間、極性変化待機期間、極性変化期間を取得すると、当該取得した画像データの転送期間、極性変化待機期間、極性変化期間を格納する。なお、画像データの転送期間、極性変化待機期間、極性変化期間については後述する。
【００８０】
画像転送制御部２１は、画像格納部１２に格納されている画像データを、データ線ドライバ７１を介して、液晶パネル６９の出力させるものである。また、画像転送制御部２１は、高速発振部１３への出力指示や、高速発振部１３が発振させるクロックの周波数等の制御を行うものである。すなわち、画像転送制御部２１は、高速発振部１３の動作を制御することで、画像格納部１２に格納されている画像データを、液晶パネル６９へ出力させるものである。
【００８１】
画像転送制御部２１は、入力部１１を介して、ＭＰＵ５から出力された画像転送信号を取得することで、液晶パネル６９への画像データの出力を指示するものである。
【００８２】
画像転送制御部２１は、入力部１１から入力された画像転送信号に基づいて、画像データの書き込み指示信号を高速発振部１３に出力する。これにより、画像転送制御部２１は、高速発振部１３を動作させる。
【００８３】
また、画像転送制御部２１は、後述するように、液晶セル６４に印加する交流電圧を一定の周期で制御している交流制御部２２を監視することで、液晶セル６４に印加する交流電圧の極性の反転タイミングを監視している。
【００８４】
画像転送制御部２１は、上記画像データの転送期間と、ＣＯＭ反転基準信号の出力の周期とから、画像データの転送期間に、液晶セル６４に印加される交流電圧の極性の変化による液晶セル６４の電圧の極性の変化が完了するまでの期間が含まれているか否かを判定する。
【００８５】
画像転送制御部２１は、画像データの転送期間に、液晶セル６４に印加される交流電圧の極性の変化による液晶セル６４の電圧の極性の変化が完了するまでの期間が含まれていると判定した場合、液晶セル６４に印加される交流電圧の極性の変化による液晶セル６４の電圧の極性の変化が完了してから、画像格納部１２に、画像データの出力指示を出力すると共に、高速発振部１３に、画像データの書き込み指示信号を出力する。
【００８６】
高速発振部１３は、画像転送制御部２１から出力される画像データの書き込み指示信号を取得すると、高速クロック信号（第２クロック信号）を発振して、画像データの書き込み制御信号として水平走査線ドライバ７０、データ線ドライバ７１に出力する。
【００８７】
画素６０への画像データの書き込みは、画素６０に、周期的に極性を変化させて印加する交流電圧の周波数よりも高周波数の電圧が印加されることにより行なわれる。このため、高速発振部１３が発振するクロック信号の周波数は、低速発振部１９が発振するクロック信号の周波数より高いものである。
【００８８】
液晶表示装置１では、画像格納部１２に格納されている画像データを、液晶パネル６９に出力するときにだけ、高速発振部１３を動作させればよく、電力消費量を抑制することができる。
【００８９】
交流制御部２２は、低速発振部１９の動作を制御することで、液晶セル６４に印加している交流電圧の極性を一定の周期で変化させるものである。交流制御部２２は、液晶セル６４に印加する交流電圧の極性を反転させる基準の時間であるＣＯＭ反転基準点（基準時間）を一定の周期で表すＣＯＭ反転基準信号（基準信号）を生成する。また、交流制御部２２は、またはＣＯＭ反転基準点から一定の時間ずらして、交流電圧の極性を反転させる極性反転時間を一定の周期で表す極性反転信号を生成する。そして、交流制御部２２は、当該生成したＣＯＭ反転基準信号、または極性反転信号を低速発振部１９に出力する。
【００９０】
低速発振部１９は、高速発振部１３よりも低速のクロック信号を発振する回路である。
【００９１】
低速発振部１９は、交流制御部２２から出力されるＣＯＭ反転基準信号または極性反転信号が示す周期で低速クロック信号（第１クロック信号）を発振し、当該発振したクロック信号で、交流信号出力部１４を動作させる。低速発振部１９は、液晶セル６４に交流電圧を印加するために、常に動作している。
【００９２】
低速発振部１９が出力する低速クロック信号は、高速発振部１３が発振する高速クロック信号より、周波数が低いものである。
【００９３】
交流信号出力部１４は、低速発振部１９が出力する低速クロック信号の周期（周波数）で交流電圧の極性を変化させて、各画素６０の液晶セル６４に交流電圧を印加するためのものである。
【００９４】
交流信号出力部１４が低速クロック信号を取得すると、ＣＯＭ信号出力部１６は、低速クロック信号に併せて極性を変化させて出力電圧Ｖｃｏｍを生成し、当該生成した出力電圧Ｖｃｏｍを液晶セル６４の共通電極６７に供給する。
【００９５】
交流信号出力部１４が低速クロック信号を取得すると、同極性信号出力部１７は、出力電圧Ｖｃｏｍと同極性となるように極性が変化する出力電圧ＶＡを、スイッチ６５の端子６５ａに供給する。
【００９６】
交流信号出力部１４が低速クロック信号を取得すると、反転極性信号出力部１８は、出力電圧Ｖｃｏｍと極性が逆となるように極性が変化する出力電圧ＶＢを、スイッチ６５の端子６５ｂに供給する。
【００９７】
電源制御部２３は、電源回路（昇圧回路）１５の出力を制御するものである。電源回路１５は、液晶パネル６９に電源を供給すると共に、ＬＳＩである液晶ドライバ回路１０に形成されている各回路にも電源を供給する。
【００９８】
（画像データの転送制御）
次に、画像データの転送するタイミングを制御する方法について、図１、図６、図７を用いて説明する。
【００９９】
図６は、画像データの転送期間の様子を表す図である。
【０１００】
画像データの転送期間（画像転送期間）とは、ＭＰＵ５が画像データの転送要求を発行してから、画像格納部１２に格納されている画像データを、液晶パネル６９に転送し、当該画像データを書き込むべき画素６０のデジタルメモリ素子６８及び液晶セル６４の電位の変化が完了する（スキャンが完了する）までの時間である。
【０１０１】
換言すると、画像データの転送期間とは、画像データが液晶パネル６９へ出力されることで、デジタルメモリ素子６８が保持する電位が、複数の画素６０間で変化する期間（スキャン）と表現することができる。
【０１０２】
例えば、画像格納部１２に格納されている画像データを、画素６０の各画素の全てに書き込む必要がある場合は、画素６０ｉｉ〜画素６０（ｉ＋ｎ）（ｉ＋ｍ）の各画素への書き込みが完了するまでの期間である。
【０１０３】
画像データの転送期間は、ＭＰＵ５によって計算される。画像データの転送期間は、液晶パネル６９の解像度から、データ線ドライバ７１からの出力、水平走査線ドライバ７０から出力がなされてから、液晶パネル６９の全画素６０をスキャンし終わるまでの時間から計算される。
【０１０４】
本実施の形態では、画像データの転送期間はＴＴ時間とする。
【０１０５】
図７は、液晶セル６４に印加されたＣＯＭ電圧と、画像データの転送期間との関係を表す図である。ＣＯＭ電圧は、出力電圧Ｖｃｏｍ、ＶＡ、ＶＢが出力されることで電荷が充電された液晶セル６４内の交流電圧である。すなわち、ＣＯＭ電圧は、液晶セル内６４に印加される電圧のうち、交流電圧の成分を示す。
【０１０６】
交流制御部２２は、交流電圧の極性を反転させる基準となるＣＯＭ反転基準点（基準時間）を一定の周期Ｔとして設定する。
【０１０７】
そして、交流制御部２２は、交流電圧の極性を反転させる基準時間であるＣＯＭ反転基準点から一定の時間（時間ＴＴ）ずらした極性反転時間を一定の周期で表す極性反転信号を生成する。この極性反転時間の周期にあわせて、交流信号出力部１４から出力される交流電圧の極性が変化する。
【０１０８】
例えば、交流電圧である出力電圧Ｖｃｏｍ（ＣＯＭ電圧）は、ＣＯＭ反転基準点から期間ＴＴだけ遅れて極性の変化を開始するものとする。このように、出力電圧Ｖｃｏｍの極性が、ＣＯＭ反転基準点から一定期間だけ極性の変化が開始されず待機する期間を極性変化待機期間と称する。本実施の形態では、画像データ転送期間を、極性変化待機期間とする。極性変化待機期間は、ＣＯＭ反転基準点の周期と、極性反転時間の周期との位相差である。
【０１０９】
また、ＬｏｗレベルからＨｉｇｈレベル、またはＨｉｇｈレベルからＬｏｗレベルのように、出力電圧Ｖｃｏｍ（ＣＯＭ電圧）の極性が変化している期間を極性変化期間と称する。
【０１１０】
極性変化期間は、液晶セル６４に印加される交流電圧の極性の変化による液晶セル６４の電圧の極性の変化が完了するまでの期間である。
【０１１１】
ここでは、出力電圧Ｖｃｏｍの極性変化待機期間は画像データの転送期間と同様に期間ＴＴとし、また、極性変化期間は期間ＴＴ１とする。
【０１１２】
ＣＯＭ電圧は、ＣＯＭ反転基準点である時間Ｔ０で、Ｌｏｗレベルへの極性の反転が完了し、その後、期間ＴＴだけ、Ｌｏｗレベルの極性が維持される。このように、ＣＯＭ反転基準点である時間Ｔ０（＝０とする）から、基準点Ａである時間ＴＴまでの期間ＴＴが、極性変化待機期間である。
【０１１３】
このように、極性変化待機期間を、画像データの転送期間と同じだけ設けることにより、ＣＯＭ反転基準点（時間Ｔ０）より前に、画像データの転送要求が、ＭＰＵ５から発行された場合は、確実に、画像データの転送期間中に、出力電圧Ｖｃｏｍの極性が変化することを防止することができる。
【０１１４】
そして、出力電圧Ｖｃｏｍは、時間Ｔ０から期間ＴＴが経過すると、基準点Ａである時間ＴＴで、液晶容量（液晶６４ａ）に電荷が蓄積しはじめることで、ＬｏｗレベルからＨｉｇｈレベルへ極性が変化しはじめ、期間ＴＴ１が経過後の基準点Ｂである時間ＴＴ＋ＴＴ１で、Ｈｉｇｈレベルへと極性の変化が完了する。このように、基準点Ａである時間ＴＴから、基準点Ｂである時間ＴＴ＋ＴＴ１までの期間ＴＴ１は、極性変化期間である。
【０１１５】
そして、ＣＯＭ反転基準点から、極性変化待機期間（期間ＴＴ）及び極性変化期間（期間ＴＴ１）の期間を、画像データの転送指示を待機する転送待機期間である。
【０１１６】
そして、出力電圧Ｖｃｏｍは、次のＣＯＭ反転基準点である時間Ｔ経過後、さらに、極性変化待機期間である期間ＴＴだけ、極性を維持する。そして、時間Ｔ＋ＴＴである基準点Ｄで、ＨｉｇｈレベルからＬｏｗレベルへ極性が変化しはじめ、期間ＴＴ１が経過後の基準点Ｅである時間Ｔ＋ＴＴ＋ＴＴ１で、Ｌｏｗレベルへと極性の変化が完了する。このように、基準点Ｄから、基準点Ｅまでの期間ＴＴ１は、極性変化期間である。すなわち、ＣＯＭ反転基準点（時間Ｔ）から、基準点Ｅ（時間Ｔ＋ＴＴ＋ＴＴ１）までの期間が転送待機期間である。
【０１１７】
このようにして、ＣＯＭ電圧の極性は変化する。
【０１１８】
具体的には、例えば、画像データの転送期間ＴＴが６０Ｈｚ相当、すなわち、１６．６ｍｓであるとすると、極性変化期間ＴＴ１は、液晶セル６４の容量などから計算して、１００μｓ程度、ＣＯＭ反転の周期Ｔは、１秒程度である。
【０１１９】
ここで、例えば、ＭＰＵ５から出力された画像データの転送要求を、制御部２０の画像転送制御部２１が取得した時間を時間Ｓ（時間Ｓは、時間Ｔ０（ＣＯＭ反転基準点）から時間ＴＴ＋ＴＴ１（基準点Ｂ）までの間とする）とすると、時間Ｓに、画像データの転送期間である期間ＴＴを加えた時間Ｓ＋ＴＴまでの間に、出力電圧Ｖｃｏｍの極性変化期間（時間ＴＴから時間ＴＴ＋ＴＴ１）が含まれることになる。
【０１２０】
すなわち、転送待機期間中に、画像データを転送すると、画像データの転送中に、ＣＯＭ電圧の極性が反転してしまうことになる。
【０１２１】
具体的には、ＴＴ＝１６．６ｍｓ、ＴＴ１＝１００μｓ（０．１ｍｓ）、周期Ｔ＝１秒（１０００ｍｓ）とした場合、画像データの転送期間中に、ＣＯＭ電圧が反転する確率は、約１６．７／１０００程度である。このような確率でも、長時間、使用し、画像データの転送を繰り返し行えば、ＣＯＭ電圧の極性が変化しているときに画像データの転送が行なわれる可能性が高くなっていく。
【０１２２】
そこで、画像転送制御部２１は、転送待機期間中に、画像データの転送要求を取得しても、画像格納部１２への画像データの転送指示、及び高速発振部１３への画像データの書き込み指示信号の出力をすぐには実行しない。
【０１２３】
そして画像転送制御部２１は、ＣＯＭ反転基準点から、転送待機期間が経過するのを待ってから、画像格納部１２への画像データの転送指示、及び高速発振部１３への画像データの書き込み指示信号の出力を行う。
【０１２４】
つまり、画像転送制御部２１は、ＭＰＵ５から画像データの転送要求を取得すると、当該取得した時間が、ＣＯＭ反転基準点（時間Ｔ０、時間Ｔ）から、極性変化待機期間（期間ＴＴ）＋極性変化期間（期間ＴＴ１）に含まれているかを判定する。そして、含まれている場合は、ＣＯＭ反転基準点（時間Ｔ０、時間Ｔ）から、極性変化待機期間（期間ＴＴ）＋極性変化期間（期間ＴＴ１）経過後に、画像格納部１２への画像データの転送指示、及び高速発振部１３への画像データの書き込み指示信号の出力を行う。
【０１２５】
画像データの転送期間に、ＣＯＭ電圧の極性が反転することを防止することができる。このため、デジタルメモリ素子６８が保持する電位の変化が、正常に行なわれなくなることを防止することができるので、表示する画像の品位が劣化することを防止することができる。
【０１２６】
ここで、極性変化待機期間は、ＣＯＭ反転基準点を基準として算出されればよく、必ずしもＣＯＭ反転基準点（時間Ｔ０）から経過する期間である必要はない。例えば、極性変化待機期間は、ＣＯＭ反転基準点（時間Ｔ０）より、画像データの転送期間分だけ前の時間（時間Ｔ０−ＴＴ）から、ＣＯＭ反転基準点（時間Ｔ０）までの期間としてもよい。
この場合、ＣＯＭ反転基準点（時間Ｔ０）から期間ＴＴ１までが、極性変化期間となる。
【０１２７】
また、極性変化待機期間は、上述したように画像データの転送期間と一致させてもよいし、画像データの転送期間以上であってもよい。これにより、ＣＯＭ反転基準点を把握しておけば、確実に、画像データの転送期間中に、交流電圧の極性の変化にともない、液晶セル６４のＣＯＭ電圧の極性が変化することを防止することができる。極性変化待機期間を、画像データの転送期間以上とすることで、確実に、画像データの転送期間中に、交流電圧の極性が反転することを防止することができる。
【０１２８】
このように、極性変化待機期間を設けることで、ＣＯＭ反転基準点から、極性反転信号によってＣＯＭ電圧の極性が反転を完了する時間（時間ＴＴ＋ＴＴ１、Ｔ＋ＴＴ＋ＴＴ１）までの期間を調整することができる。このため、画像データの転送期間中に、交流電圧の極性が反転することを防止することができる。
【０１２９】
ここで、液晶セル６４には、Ｈｉｇｈレベルの電圧と、Ｌｏｗレベルの電圧とを同じ時間だけ、供給することが好ましい。これにより、液晶の信頼性の低下を抑えることができる。つまり、液晶セル６４には、デューティー（Ｄｕｔｙ）５０％で、極性が反転するように、交流電圧を印加することが好ましい。
【０１３０】
デューティー（Ｄｕｔｙ）とは、液晶セル６４に印加している交流電圧の単位時間あたりに、Ｈｉｇｈレベルの電圧を印加している時間の割合である。つまり、デューティー５０％とは、出力電圧Ｖｃｏｍの単位周期あたりにＨｉｇｈレベルの電圧を印加している割合である。
【０１３１】
上述したように、本実施の形態の液晶表示装置１では、ＣＯＭ電圧は常に一定の周期で極性を反転することができる。すなわち、出力電圧Ｖｃｏｍは、２周期（期間Ｔ）に１回、期間（Ｔ−（ＴＴ＋ＴＴ１）だけ、Ｈｉｇｈレベルの電圧と、Ｌｏｗレベルの電圧とが交互に印加されている。このように、予め、デューティーが５０％となるように設定しておけば、当該設定したデューティー５０％の割合を一定に保ち、かつ、画像の転送期間中に出力電圧Ｖｃｏｍ（すなわちＣＯＭ電圧）の極性が反転することを防止することができる。
【０１３２】
一方、例えば、交流電圧の極性が反転するタイミングと、画像データの転送期間とが重なることを避けるには、上述した本実施の形態の方法以外にも、画像データの転送を優先させる方法が考えられる。すなわち、画像データの転送期間中に反転する交流電圧の反転タイミングの方をずらす方法も考えられる。
【０１３３】
しかし、画像データの転送要求は、ユーザ等によって、任意のタイミングで出力される。このため、このような方法では、例えば、ユーザが連続的に画像データの転送要求を出力させた場合、交流電圧の反転タイミングが頻繁にずらされることになる。このような状態が続くと交流電圧のデューティーが５０％から外れ続けることになり、液晶セルの信頼性が低下することになる。
【０１３４】
このように、本実施の形態の液晶表示装置１によると、液晶の信頼性の低下を防止し、かつ、表示する画像の品位が劣化することを防止することができる。
【０１３５】
（処理の流れ）
次に、図８を用いて、液晶表示装置１の処理の流れについて説明する。
【０１３６】
図８は、液晶表示装置１の処理の流れを表すフローチャートである。
【０１３７】
まず、ＭＰＵ５は、制御部２０を、液晶パネル６９の解像度に応じた設定にするために、液晶パネル６９の解像度を表す情報をコマンド（解像度設定信号）として発行する。そして、ＭＰＵ５は、解像度設定信号を、入力部１１を介して、制御部２０に出力する。これにより、制御部２０は、液晶パネル６９に解像度に応じた設定が行なわれる。
【０１３８】
交流制御部２２は、交流電圧の極性を反転させる基準の時間となるＣＯＭ反転基準点を一定の周期で表すＣＯＭ反転基準信号を生成する。そして、期間格納部２５に極性変化待機期間が格納されるまでは、このＣＯＭ反転基準信号を、交流電圧の極性を反転させる一定の周期を表す極性反転信号として、低速発振部１９に出力する。
【０１３９】
低速発振部１９は、交流制御部２２から取得した極性反転信号が表す周期で、交流信号出力部１４を動作させる低速クロック信号（第１クロック）を生成する。そして、低速発振部１９は、生成した低速クロック信号を、交流信号出力部１４に出力する。交流信号出力部１４は、低速クロック信号の一定のクロックで、交流電圧の極性を反転して、交流電圧を液晶セル６４に出力する。
【０１４０】
これにより、交流制御部２２が生成した一定の周波数で、液晶セル６４に印加される交流電圧の極性が変化する。
【０１４１】
そして、ＭＰＵ５は、液晶パネル６９の解像度から、画像データの転送期間を算出する。ここでは、画像データの転送期間はＴＴ時間と、この画像データの転送期間を出力電圧Ｖｃｏｍの極性変化待機期間とする。さらに、ＭＰＵ５は、液晶パネル６９の情報から、出力電圧の極性変化期間を設定する。ここでは、極性変化期間を期間ＴＴ１とする。
【０１４２】
そして、ＭＰＵ５は、算出した画像データの転送期間を入力部１１に出力する。入力部１１は、ＭＰＵ５から取得した画像データの転送期間及び極性変化期間を期間格納部２５に出力する。これにより、期間格納部２５は、入力部１１から出力された画像データの転送期間（極性変化待機期間）及び極性変化期間を格納する（ステップＳ１０）。
【０１４３】
この期間格納部２５が格納した極性変化待機期間及び極性変化期間が、転送待機期間である。
【０１４４】
また、極性変化待機期間が期間格納部２５に格納されると、交流制御部２２は、生成した基準信号の基準時間から一定の時間ずらした極性反転時間を一定の周期で表す極性反転信号を生成し、当該生成した極性反転信号を、低速発振部１９に出力する。
【０１４５】
すなわち、交流制御部２２は、一定の周期でクロック信号を出力している低速発振部１９に対して、極性変化待機期間分だけ、位相をずらしてクロック信号を出力させる。これにより、低速発振部１９は、ＣＯＭ反転基準点から、極性変化待機期間だけ位相をずらした（図７のＣＯＭ反転基準点から基準点Ａまでの期間）低速クロック信号を生成し、交流信号出力部１４に、交流電圧の極性を変化させる。
【０１４６】
次に、ＭＰＵ５から、入力部１１に、液晶パネル６９に画像を表示させるための画像データが出力される。入力部１１は、ＭＰＵ５から画像データを取得すると、当該取得した画像データを画像格納部１２に出力する。そして、画像格納部１２は、入力部１１から取得した画像データを格納する（ステップＳ１１）。
【０１４７】
次に、ＭＰＵ５は、任意のタイミング（時間Ｓ）で、画像データの転送要求を表す画像転送信号を生成する。そして、生成した画像転送信号が入力部１１に出力される。そして、入力部１１は、当該取得した画像転送信号を、制御部２０に出力する。
【０１４８】
そして、画像転送制御部２１は、制御部２０に出力された画像転送信号を取得する（ステップＳ１２）。
【０１４９】
そして、交流制御部２２が出力する交流電圧の極性の周期を監視している画像転送制御部２１は、時間Ｓが、交流制御部２２が管理しているＣＯＭ反転基準点（時間Ｔ０）を基準として、画像データの転送待機期間（期間ＴＴ＋ＴＴ１）内に含まれているか否かを判定する（ステップＳ１３）。
【０１５０】
すなわち、画像転送制御部２１は、画像データの転送期間中に、液晶セル６４に印加される交流電圧の極性の変化による液晶セル６４の電圧の極性の変化が完了するまでの期間が含まれているかを判定する。
【０１５１】
このように、画像転送制御部２１は、ＭＰＵ５が画像転送信号を生成した時間Ｓから、画像データの転送期間に、液晶セル６４に印加される交流電圧の極性の変化による液晶セル６４の電圧の極性が変化するかを判定することができる。
【０１５２】
画像転送制御部２１は、画像転送信号をＭＰＵ５が出力した時間Ｓが、ＣＯＭ反転基準点（時間Ｔ０）から、転送待機期間（期間ＴＴ＋ＴＴ１）に含まれていると判定する（ステップＳ１３のＹＥＳ）と、転送待機期間（期間ＴＴ＋ＴＴ１）が経過するまで待機する。
【０１５３】
また、画像転送制御部２１は、画像転送信号をＭＰＵ５が出力した時間Ｓが、ＣＯＭ反転基準点（時間Ｔ０）から、転送待機期間（期間ＴＴ＋ＴＴ１）に含まれていないと判定する（ステップＳ１３のＮＯ）と、画像格納部１２に、画像データの出力指示を出力する（ステップＳ１４）と共に、高速発振部１３に、画像データの書き込み指示信号を出力する。
【０１５４】
画像格納部１２は、画像転送制御部２１から、画像データの出力指示を取得すると、格納している画像データを、液晶パネル６９のデータ線ドライバ７１に出力する。
【０１５５】
高速発振部１３は、画像転送制御部２１から、画像データの書き込み指示信号を取得すると、データ線ドライバ７１及び水平走査線ドライバ７０を動作させるために、低速発振部１９が出力する低速クロック信号よりも高周波数の高速クロック信号を発振させる。そして、高速発振部１３は、発振させた高速クロック信号を、画像データの転送信号である書き込み制御信号として、水平走査線ドライバ７０及びデータ線ドライバ７１に出力する。
【０１５６】
そして、画像データを取得したデータ線ドライバ７１、書き込み制御信号を取得した水平走査線ドライバ７０及びデータ線ドライバ７１のそれぞれによって、画像データを書き込むべき画素６０（デジタルメモリ素子６８及び液晶セル６４）のそれぞれに、順次、画像データが書き込まれる。すなわち、デジタルメモリ素子６８が保持する電位及び液晶セル６４に供給される電位は、表示すべき画像に応じた値に変化する。このように、画像データが、液晶パネル６９に転送される（ステップＳＳ１８）。
【０１５７】
このように、画像転送制御部２１は、画像データが液晶パネル６９へ出力されることで、デジタルメモリ素子６８から液晶セル６４へと供給される電圧の変化が完了するまでの期間である画像データの転送期間に、液晶セル６４に印加される交流電圧の極性の変化による液晶セル６４の電圧の極性が変化している期間が含まれていると判定すると、液晶セル６４に印加される交流電圧の極性の変化による液晶セル６４の電圧の極性の変化が完了してから、液晶パネル６９への画像データの出力を指示する。
【０１５８】
このため、画像データの転送期間に、液晶セル６４に印加される交流電圧の極性が変化することを防止することができる。このため、デジタルメモリ素子６８が保持する電位の変化が、正常に行なわれなくなることを防止することができるので、表示する画像の品位が劣化することを防止することができる。
【０１５９】
（プログラム及び記録媒体）
また、液晶表示装置１の各ブロック、特に、制御部２０、ＭＰＵ５、高速発振部１３、及び低速発振部１９は、ハードウェアロジックによって構成してもよいし、次のようにコンピュータを用いてソフトウェアによって実現してもよい。
【０１６０】
すなわち、制御部２０、ＭＰＵ５、高速発振部１３、及び低速発振部１９は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部２０、ＭＰＵ５、高速発振部１３、及び低速発振部１９の制御プログラムのプログラムコード（実行形式プログラム、中間コードプログラム、ソースプログラム）をコンピュータで読み取り可能に記録した記録媒体を、制御部２０、ＭＰＵ５、高速発振部１３、及び低速発振部１９に供給し、そのコンピュータ（またはＣＰＵやＭＰＵ）が記録媒体に記録されているプログラムコードを読み出し実行することによっても、達成可能である。
【０１６１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６２】
また、制御部２０、ＭＰＵ５、高速発振部１３、及び低速発振部１９を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６３】
上記のように、本発明の液晶表示装置は、画像を表示するための複数の画素が配されている液晶パネルと、当該液晶パネルに画像信号を出力することで、上記液晶パネルに画像を表示させる駆動回路とを備えている液晶表示装置であって、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されており、上記駆動回路には、上記表示素子に印加する交流電圧の極性を反転させるための極性反転指示手段と、上記液晶パネルへの画像信号の出力を指示する画像信号出力指示手段とが配されており、上記画像信号出力指示手段は、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性の変化が完了するまでの期間が含まれていると判定すると、上記表示素子に印加される交流電圧の極性の変化による当該表示素子の電圧の極性の変化が完了してから、上記液晶パネルへの画像信号の出力を指示することを特徴としている。
【０１６４】
上記の課題を解決するために、本発明の表示方法は、画像を表示するための複数の画素が配されている液晶パネルに画像信号を出力することで、上記液晶パネルに画像を表示させる駆動方法を含む表示方法であって、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されており、上記表示素子に印加する交流電圧の極性を反転させるための極性反転指示ステップと、上記液晶パネルへの画像信号の出力を指示する画像信号出力指示ステップとを含み、上記画像信号出力指示ステップで、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性の変化が完了するまでの期間に含まれていると判定されると、上記表示素子に印加される交流電圧の極性の変化による当該表示素子の電圧の極性の変化が完了してから、上記液晶パネルへの画像信号の出力をすることを特徴としている。
【０１６５】
上記構成によると、上記複数の画素のそれぞれには、上記複数の画素のそれぞれには、上記駆動回路から出力された画像信号に応じた電位を保持する記憶素子と、上記記憶素子が保持する電位が供給されることで、上記画像を表示するための電圧が印加される表示素子と、が配されているので、表示する画像が同じである場合、記憶素子が保持する電位を変更する必要がない。このため、液晶パネルは、同じ画像を継続して表示する場合、画像信号を読み込む必要が無いので、低消費電力化を行うことができる。
【０１６６】
また、上記構成によると、極性反転指示手段により、上記表示素子に印加する交流電圧の極性を一定の周期で変化させることができるので、表示素子に、直流電圧が印加されることを防止することができ、表示素子の信頼性の低下を防止することができる。
【０１６７】
また、上記構成によると、上記画像信号出力指示手段は、上記画像信号が上記液晶パネルへ出力されることで、上記記憶素子から上記表示素子へと供給される電圧の変化が完了するまでの期間である画像転送期間に、上記表示素子に印加される交流電圧の極性の変化による当該表示素子の電圧の極性が変化している期間が含まれていると判定すると、上記表示素子に印加される交流電圧の極性の変化による当該表示素子の電圧の極性の変化が完了してから、上記液晶パネルへの画像信号の出力を指示する。
【０１６８】
これにより、画像転送期間に、上記表示素子に印加される交流電圧の極性が変化することを防止することができる。このため、各画素の記憶素子が保持する電位の変化が、正常に行なわれなくなることを防止することができるので、表示する画像の品位が劣化することを防止することができる。
【０１６９】
また、上記駆動回路は、上記画像信号を格納する格納手段を備え、上記画像信号出力指示手段は、上記格納手段に対して画像信号の出力の指示をし、上記格納手段は、上記画像信号出力指示手段からの上記画像信号の出力の指示を取得すると、当該格納手段に格納している画像信号を、上記液晶パネルに出力することが好ましい。
【０１７０】
上記構成により、上記画像信号出力指示手段は、上記格納手段が格納している画像信号を、上記液晶パネルに出力させることができる。このため、上記駆動回路は、上記液晶パネルに表示する画像を変更する際、画像信号を、駆動回路外から読み込む必要が無い。このため、液晶パネルが表示する画像を、素早く変更することができる。
【０１７１】
上記極性反転指示手段は、上記交流電圧の極性を反転させる一定の周期を表す極性反転信号を生成し、上記極性反転信号が表す周期で交流電圧の極性を反転して、当該交流電圧を上記表示素子に出力する交流電圧出力手段を備えていることが好ましい。
【０１７２】
上記構成により、上記交流電圧出力手段は、上記極性反転指示手段が生成した一定の周波数で交流電圧の極性を変化させて、当該交流電圧を上記表示素子に出力する。これにより、上記極性反転指示手段が生成した周波数で、表示素子に印加される交流電圧の極性を変化させることができる。
【０１７３】
上記極性反転指示手段は、上記交流電圧の極性を反転させる基準時間を一定の周期で表す基準信号を生成し、当該生成した基準信号の基準時間から一定の時間ずらした極性反転時間を一定の周期で表す上記極性反転信号を生成することが好ましい。
【０１７４】
上記構成により、上記基準信号から、上記極性反転信号によって表示素子の極性が反転を完了する時間までの期間を調整することができる。このため、画像転送期間中に、交流電圧の極性が反転することを防止することができる。
【０１７５】
上記基準時間の周期と、上記極性反転信号が表す周期との位相差である極性変化待機期間は、上記画像転送期間以上であることが好ましい。
【０１７６】
上記構成により、上記画像転送期間より、上記基準時間から、交流電圧の極性が変化を開始するまでのする時間の方が長いので、上記基準時間を把握しておくだけで、上記画像転送期間中に、上記交流電圧の極性が変化することを防止することができる。
【０１７７】
上記画像信号出力指示手段に対して、上記格納手段に格納されている画像信号を上記液晶パネルへ出力することを要求する信号である画像出力要求信号を生成する画像出力要求手段を備え、上記画像信号出力指示手段は、上記画像出力要求手段から出力された画像出力要求信号を取得することで、上記液晶パネルへの画像信号の出力を指示することが好ましい。
【０１７８】
上記構成により、上記画像信号出力指示手段は、画像出力要求手段からの画像出力要求信号によって、上記液晶パネルへの画像信号の出力を指示する。これにより、液晶パネルへの画像信号が出力される。
【０１７９】
上記画像信号出力指示手段は、上記画像出力要求手段が上記画像出力要求信号を生成した時間が、上記交流電圧の極性を反転させる基準時間を基準として、当該基準時間から、当該基準時間から一定の時間ずらした極性反転時間までの期間と、上記交流電圧出力手段の交流電圧の極性の反転によって、当該交流電圧を出力された表示素子の極性の反転が完了するまでの期間と、を加えた期間に含まれているか否かを判定することで、上記画像転送期間に、上記表示素子に印加される交流電圧の極性が変化するか否かを判定することが好ましい。
【０１８０】
上記構成により、上記画像信号出力指示手段は、上記画像出力要求手段が上記画像出力要求信号を生成した時間から、上記画像転送期間に、上記表示素子に印加される交流電圧の極性の変化による当該表示素子の電圧の極性が変化するか否かを判定することができる。
【０１８１】
上記交流電圧出力手段を動作させる第１クロック信号を出力する第１発振手段と、上記格納手段に格納されている画像信号を上記液晶パネルへ出力する画像出力手段と、上記画像出力手段と動作させる第２クロック信号を出力する第２発振手段と、を備え、上記第１クロック信号の周波数は、上記第２クロック信号の周波数より低いことが好ましい。
【０１８２】
一般的に、高い周波数を出力する場合と比べて、低い周波数を出力するには電力消費量も少なくてすむ。
【０１８３】
上記構成によると、上記格納部に格納されている画像信号を上記液晶パネルへ出力するときは、第２クロック信号より周波数が高い、第１クロック信号を出力する上記第１発振手段を動作させる。一方、表示素子に交流電圧を出力するために、常に動作させる必要がある第２発振手段は、上記第１クロック信号より周波数が低い第２クロック信号を出力する。これにより、上記交流電圧出力手段を動作させる。
【０１８４】
このため、上記格納部に格納されている画像信号を、液晶パネルに出力するときにだけ、第２クロック信号より周波数が高い第１クロック信号を出力する第１発振手段を動作させればよく、電力消費量を抑制することができる。
【０１８５】
なお、上記は、コンピュータによって実現してもよい。この場合、コンピュータを上記各手段として動作させることにより上記をコンピュータにおいて実現する表示プログラム、およびその表示プログラムを記録したコンピュータ読み取り可能な記録媒体も、本発明の範疇に入る。
【０１８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１８７】
本発明は、液晶の信頼性の低下を防止し、データの再書み込みを行わずに表示する画像を切り替えることができ、表示する画像の品位が劣化することを防止することができるので、画像を表示する液晶表示装置に好適に用いることができる。
【符号の説明】
【０１８８】
１  液晶表示装置
３  液晶ドライバ回路
５  ＭＰＵ（画像出力要求手段）
１０  液晶パネル駆動回路（駆動回路）
１１  入力部
１２  画像格納部（格納手段）
１３  高速発振部（第２発振手段）
１４  交流信号出力部（交流電圧出力手段）
１５  電源回路
１６  ＣＯＭ信号出力部
１７  同極性信号出力部
１８  反転極性信号出力部
１９  低速発振部（第１発振手段）
２０  制御部
２１  画像転送制御部（画像信号出力指示手段）
２２  交流制御部（極性反転指示手段）
２３  電源制御部
２５  期間格納部
６０  画素
６１  画素部スイッチ素子
６４  液晶セル（表示素子）
５７  画素電極
６７  共通電極
６８  デジタルメモリ素子（記憶素子）
６９  液晶パネル
７０  水平走査線ドライバ
７１  データ線ドライバ（画像出力手段）
【図１】
0005450784.tif 000002
【図２】
0005450784.tif 000003
【図３】
0005450784.tif 000004
【図４】
0005450784.tif 000005
【図５】
0005450784.tif 000006
【図６】
0005450784.tif 000007
【図７】
0005450784.tif 000008
【図８】
0005450784.tif 000009
【図９】
0005450784.tif 000010
【図１０】
0005450784.tif 000011
【図１１】
0005450784.tif 000012